(57)【要約】本発明は携帯インターネットシステムに係り、特に、ＷｉＭＡＸでマルチキャストブロードキャストサービス（ＭＢＳ）を支援する方法及び装置に関するものである。  本発明の実施例によるＭＢＳ支援方法は、第１の端末のための第１のＭＢＳサービスフローに対して第１のＧＲＥキーを割り当て、該第１のＧＲＥキーを用いて、前記第１のＭＢＳサービスフローを持つＭＢＳコンテンツを伝送する段階と、第２の端末のための前記第２のＭＢＳサービスフローが前記第１のＭＢＳサービスフローと同一であれば、前記第１のＭＢＳサービスフローに対して割り当てられた前記第１のＧＲＥキーを用いて、前記第２のＭＢＳサービスフローを持つＭＢＳコンテンツを伝送する段階を含むことを特徴とする。【選択図】図３
2011510590.tif 000002
【特許請求の範囲】
【請求項１】
第１の端末のための第１のＭＢＳサービスフローに対して第１のＧＲＥキーを割り当て、該第１のＧＲＥキーを用いて、前記第１のＭＢＳサービスフローを持つＭＢＳコンテンツを伝送する段階と、
第２の端末のための前記第２のＭＢＳサービスフローが前記第１のＭＢＳサービスフローと同一であれば、前記第１のＭＢＳサービスフローに対して割り当てられた前記第１のＧＲＥキーを用いて、前記第２のＭＢＳサービスフローを持つＭＢＳコンテンツを伝送する段階と、
を含むことを特徴とするＭＢＳ支援方法。
【請求項２】
前記第１のＭＢＳサービスフロー及び前記第２のＭＢＳサービスフローに対してそれぞれＳＦＩＤを付与する段階をさらに含むことを特徴とする、請求項１に記載のＭＢＳ支援方法。
【請求項３】
前記第１のＭＢＳサービスフロー及び前記第２のＭＢＳサービスフローに対してそれぞれＭＣＩＤを付与する段階をさらに含むことを特徴とする、請求項１に記載のＭＢＳ支援方法。
【請求項４】
前記第１のＧＲＥキー割当は、前記第１のＭＢＳサービスフローに付与されたＭＣＩＤを用いてなることを特徴とする、請求項３に記載のＭＢＳ支援方法。
【請求項５】
前記第１のＭＢＳサービスフロー及び前記第２のＭＢＳサービスフローに対してそれぞれマルチキャストＳＦＩＤを付与する段階をさらに含むことを特徴とする、請求項１に記載のＭＢＳ支援方法。
【請求項６】
前記第１のＧＲＥキー割当は、前記第１のＭＢＳサービスフローに付与されたマルチキャストＳＦＩＤを用いてなることを特徴とする、請求項５に記載のＭＢＳ支援方法。
【請求項７】
前記第１のＧＲＥキー割当は、ソースＩＰ、ソースポート、あて先ＩＰ、あて先ポートを含む前記第１のＭＢＳサービスフロー情報を用いてなることを特徴とする、請求項１に記載のＭＢＳ支援方法。
【請求項８】
前記第１のＧＲＥキー割当は、ＭＢＳゾーン識別子（MBS zone ID）をさらに用いてなることを特徴とする、請求項１に記載のＭＢＳ支援方法。
【請求項９】
前記第２のＭＢＳサービスフローに対して第２のＧＲＥキーを割り当て、該第２のＧＲＥキーを用いて、前記第２のＭＢＳサービスフローを持つＭＢＳコンテンツを伝送する段階をさらに含むことを特徴とする、請求項１に記載のＭＢＳ支援方法。
【請求項１０】
前記第１の端末及び第２の端末は、同一のＭＢＳグループに加入されたことを特徴とする、請求項１に記載のＭＢＳ支援方法。
【請求項１１】
第１のＱｏＳを要求する第１のＭＢＳサービスフロー対して第１のＧＲＥキーを割り当て、該第１のＧＲＥキーを用いて、前記第１のＭＢＳサービスフローを持つＭＢＳコンテンツを伝送する段階と、
前記第１のＱｏＳを要求する第２のＭＢＳサービスフローに対して前記第１のＧＲＥキーを割り当て、該第１のＧＲＥキーを用いて、前記第２のＭＢＳサービスフローを持つＭＢＳコンテンツを伝送する段階と、
を含むことを特徴とするＭＢＳ支援方法。
【請求項１２】
前記第１のＭＢＳサービスフロー及び前記第２のＭＢＳサービスフローに対してそれぞれＭＣＩＤを付与する段階をさらに含むことを特徴とする、請求項１１に記載のＭＢＳ支援方法。
【請求項１３】
前記第１のＧＲＥキー割当は、前記第１のＭＢＳサービスフローに付与されたＭＣＩＤを用いてなることを特徴とする、請求項１２に記載のＭＢＳ支援方法。
【請求項１４】
同一のＱｏＳを持つ多数のチャネルを含むＭＢＳプログラムに対して一つのＭＣＩＤを付与する段階と、
前記ＭＣＩＤに対して一つのＧＲＥキーを割り当てる段階と、
前記ＧＲＥキーを用いてＭＢＳサービスを提供する段階と、
を含むことを特徴とするＭＢＳ支援方法。
【請求項１５】
第１の端末の第１のＭＢＳサービスフローに対して第１のＧＲＥキーを割り当て、該第１のＧＲＥキーを用いて第１のＭＢＳサービスフローのためのＧＲＥトンネルを生成する段階と、
前記第１の端末と同じＭＢＳ（Multicast Broadcast Service）グループに加入した第２の端末のための前記第２のＭＢＳサービスフローが、前記第１のＭＢＳサービスフローと同一であれば、前記第1のＭＢＳサービスフローに対して前記第１のＧＲＥキーを割り当てる段階と、
前記第１のＧＲＥキーを通じて生成された前記ＧＲＥトンネルを用いて、前記第１のＭＢＳサービスフローを持つＭＢＳコンテンツ及び前記第２のＭＢＳサービスフローを持つＭＢＳコンテンツを伝送する段階と、
を含むことを特徴とするＭＢＳ支援方法。
【請求項１６】
前記第１のＭＢＳサービスフロー及び前記第２のＭＢＳサービスフローに対してそれぞれＳＦＩＤを付与する段階をさらに含むことを特徴とする、請求項１５に記載のＭＢＳ支援方法。
【請求項１７】
前記第１のＧＲＥキーは、前記ＳＦＩＤを用いて基地局またはＡＳＮ−ＧＷで割り当てられることを特徴とする、請求項１６に記載のＭＢＳ支援方法。
【請求項１８】
前記第１のＭＢＳサービスフロー及び前記第２のＭＢＳサービスフローに対してそれぞれＭＣＩＤを付与する段階をさらに含むことを特徴とする、請求項１５に記載のＭＢＳ支援方法。
【請求項１９】
前記第１のＧＲＥキーは、前記ＭＣＩＤを用いて前記基地局または前記ＡＳＮ−ＧＷで割り当てられることを特徴とする、請求項１８に記載のＭＢＳ支援方法。
【請求項２０】
前記ＡＳＮ−ＧＷが複数のＭＢＳゾーンに含まれる場合、前記第１のＭＢＳサービスフロー及び前記第２のＭＢＳサービスフローに対してそれぞれＭＢＳゾーン識別子（MBS zone ID）を付与する段階をさらに含むことを特徴とする、請求項１９に記載のＭＢＳ支援方法。
【請求項２１】
前記第１のＧＲＥキーは、ＭＢＳゾーン識別子（MBS zone ID）をさらに用いて割り当てられることを特徴とする、請求項２０に記載のＭＢＳ支援方法。
【請求項２２】
前記第１のＧＲＥキー割当は、ソースＩＰ、ソースポート、あて先ＩＰ、あて先ポートを含む前記第１のＭＢＳサービスフロー情報を用いてなることを特徴とする、請求項１５に記載のＭＢＳ支援方法。
【請求項２３】
ＭＢＳサービスフローに関するサービスフロー情報を受信する受信端と、
前記サービスフロー情報を用いて、ＭＢＳグループに加入した第１の端末のための第１のＭＢＳサービスフローに対して第１のＧＲＥキーを割り当て、第２の端末のための前記第２のＭＢＳサービスフローが前記第１のＭＢＳサービスフローと同一であれば、前記第２のＭＢＳサービスフローに対して前記第１のＧＲＥキーを割り当てるＧＲＥキー割当手段と、
前記第１のＧＲＥキーを伝送する伝送手段と、
を含むことを特徴とするＭＢＳ支援装置。
【請求項２４】
前記受信端は、前記ＭＢＳサービスフローにそれぞれ付与されたマルチキャストＳＦＩＤ、ＭＣＩＤ、マルチキャストＳＦＩＤのうち少なくとも一つをさらに受信することを特徴とする、請求項２３に記載のＭＢＳ支援装置。
【発明の詳細な説明】
【技術分野】
【０００１】
本発明は、携帯インターネットシステムに係り、より詳細には、ＷｉＭＡＸでマルチキャストブロードキャストサービス（ＭＢＳ）を支援する方法及び装置に関するものである。
【背景技術】
【０００２】
ネットワーク上で同一コンテンツ（contents）を一つのリンクを通じて複数のユーザに提供する一対多（point to multipoint）サービス、すなわち、マルチキャスト／ブロードキャストサービス（MCBCS: Multicast Broadcast Service；以下、“ＭＢＳ”という。）への関心が高まっている。
【０００３】
ＩＥＥＥ（Institute of Electrical and Electronics Engineers）８０２．１６ｄ／ｅまたはＷＩＭＡＸ規格に基づく広帯域無線通信システムにおいて、ＭＢＳ（Multicast and Broadcast Service）は、多数の加入者に同一のデータを提供するサービスである。このようなＭＢＳは、ユーザが動的にＩＰセッションに参加（Join）及び脱退（Leave）することができるマルチキャストサービスと、ユーザによらずに常にマルチキャストコンテンツが伝送されるブロードキャストサービスと、に大別することができる。
【０００４】
このようなＭＢＳは、同一のマルチキャスト接続識別子（Multicast CID；以下、“ＭＣＩＤ”という。）で多数の端末に同一のＭＢＳコンテンツ（content）を伝送しなければならない。また、ＭＢＳゾーン（Zone）内における基地局は、マクロダイバーシティ（Macro Diversity）を支援しなければならず、伝送時間にばらつきがあってはならない。この場合、再使用周波数係数は１とすることができる。
【０００５】
そして、基地局（BS: Base Station）とＡＳＮ（Access Service Network）の間にデータを交換するためにＧＲＥ（Generic Routing Encapsulation）トンネル（tunnel）を用いなけはればならない。
【０００６】
ここで、ＧＲＥトンネル生成のためのデータ経路生成の区分単位（granularity）として、ＩＥＥＥ ８０２．１６ｅ及びＷＩＭＡＸでは、ユニキャスト伝送のために次の３つ、すなわち、端末による区分単位（per MS granularity）、基地局による区分単位（per BS granularity）、サービスフローによる区分単位（per service flow granularity）を提示している。
【０００７】
第一に、端末による区分単位（per MS granularity）は、各端末別にＧＲＥトンネルが生成される。この場合、データパケットが持つ５要素（tuples）、すなわち、あて先ＩＰアドレス（Destination IP address）、ソースＩＰアドレス（Source IP address）、ソースポート（Source Port）、あて先ポート（Destination port）、プロトコル（Protocol）の値を用いてＧＲＥキー（GRE key）を割り当て、割り当てられたＧＲＥキーを通じてＧＲＥトンネルが生成される。以降、端末別に生成されたＧＲＥトンネルを通じて基地局にデータを伝送する。
【０００８】
第二に、基地局による区分単位（per BS granularity）は、基地局に登録されている端末を考慮せずに、基地局別にＧＲＥトンネルが生成される。以降、基地局別に生成されたＧＲＥトンネルを通じて該当の基地局に伝送される全てのデータを伝送する。
【０００９】
第三に、サービスフローによる区分単位（per service flow granularity）は、各端末に属するサービスフロー別にＧＲＥトンネルが生成される。また、データ経路を生成する時に使用する区分単位（data path granularity）も一緒に設定される。したがって、設定されたデータ経路区分単位にしたがってＧＲＥキーを割り当ててＧＲＥトンネルを生成する。以降、各端末に属するサービスフロー別に生成されたＧＲＥトンネルを通じてデータを伝送する。
【００１０】
上記の３つのデータ経路生成の区分単位（data path granularity）は、ユニキャスト伝送のためのものである。そのため、ユニキャスト伝送方式を用いてＭＢＳのためのマルチキャストデータを伝送すると、下記の問題が生じうる。
【００１１】
まず、端末による区分単位（per MS granularity）を用いる場合においては、マルチキャストデータパケットのあて先ＩＰアドレス（Destination IP address）が、端末のＩＰアドレスではなくグループアドレスであるため、端末別にＧＲＥトンネルを生成することができず、結果としてＭＢＳを支援することができない。そして、上記の５要素（tuples）の他に、ＭＳ ＩＤをさらに用いて端末ごとにＧＲＥトンネルを生成することもできるが、別のＱｏＳパラメータ（parameter）を要求する別のＭＢＳコンテンツに対するＱｏＳを保障することができない。
【００１２】
続いて、基地局による区分単位（per BS granularity）を用いる場合においては、基地局とＡＳＮ−ＧＷ間のＲ６インターフェースを通じて送受信されるマルチキャストデータパケットを分類（Classify）することができず、マルチキャストデータに対するＱｏＳを保障することができない。
【００１３】
そして、サービスフローによる区分単位（per service flow granularity）を用いる場合においては、各端末の持つサービスフロー別にＧＲＥトンネルを生成する。この場合、マルチキャストグループに加入した端末が同一のマルチキャストデータを伝送する上で、余分のＧＲＥトンネルが生成されるため、余分のマルチキャストデータ伝送が発生して、ネットワークリソースの浪費を招く。
【発明の概要】
【発明が解決しようとする課題】
【００１４】
本発明は、マルチキャストブロードキャストサービス（ＭＢＳ）を支援するための方法及び装置を提供することを技術的課題とする。
【００１５】
また、本発明は、マルチキャストブロードキャストサービスを支援するためのＧＲＥトンネル生成方法を提供することを技術的課題とする。
【００１６】
また、本発明は、ＷＩＭＡＸ環境に適するマルチキャストブロードキャストサービスを支援する方案を提供することを技術的課題とする。
【課題を解決するための手段】
【００１７】
本発明の実施例によるＭＢＳ支援方法は、第１の端末のための第１のＭＢＳサービスフローに対して第１のＧＲＥキーを割り当て、該第１のＧＲＥキーを用いて、前記第１のＭＢＳサービスフローを持つＭＢＳコンテンツを伝送する段階と、第２の端末のための前記第２のＭＢＳサービスフローが前記第１のＭＢＳサービスフローと同一であれば、前記第１のＭＢＳサービスフローに対して割り当てられた前記第１のＧＲＥキーを用いて、前記第２のＭＢＳサービスフローを持つＭＢＳコンテンツを伝送する段階と、を含むことを特徴とする、
【００１８】
本発明の実施例によるＭＢＳ支援方法は、第１のＱｏＳを要求する第１のＭＢＳサービスフロー対して第１のＧＲＥキーを割り当て、前記第１のＧＲＥキーを用いて、前記第１のＭＢＳサービスフローを持つＭＢＳコンテンツを伝送する段階と、前記第１のＱｏＳを要求する第２のＭＢＳサービスフローに対して前記第１のＧＲＥキーを割り当て、前記第１のＧＲＥキーを用いて、前記第２のＭＢＳサービスフローを持つＭＢＳコンテンツを伝送する段階と、を含むことを特徴とする。
【００１９】
本発明の実施例によるＭＢＳ支援方法は、同一のＱｏＳを持つ多数のチャネルを含むＭＢＳプログラムに対して一つのＭＣＩＤを付与する段階と、前記ＭＣＩＤに対して一つのＧＲＥキーを割り当てる段階と、前記ＧＲＥキーを用いてＭＢＳサービスを提供する段階と、を含むことを特徴とする。
【００２０】
本発明の実施例によるＭＢＳ支援方法は、第１の端末の第１のＭＢＳサービスフローに対して第１のＧＲＥキーを割り当て、該第１のＧＲＥキーを用いて第１のＭＢＳサービスフローのためのＧＲＥトンネルを生成する段階と、前記第１の端末と同一のＭＢＳ（Multicast Broadcast Service）グループに加入した第２の端末のための前記第２のＭＢＳサービスフローが、前記第１のＭＢＳサービスフローと同一であれば、前記第１のＭＢＳサービスフローに対して前記第１のＧＲＥキーを割り当てる段階と、該第１のＧＲＥキーを通じて生成された前記ＧＲＥトンネルを用いて、前記第１のＭＢＳサービスフローを持つＭＢＳコンテンツ及び前記第２のＭＢＳサービスフローを持つＭＢＳコンテンツを伝送する段階と、を含むことを特徴とする。
【００２１】
本発明の実施例によるＭＢＳ支援装置は、ＭＢＳサービスフローに関するサービスフロー情報を受信する受信端と、前記サービスフロー情報を用いて、ＭＢＳグループに加入した第１の端末のための第１のＭＢＳサービスフローに対して第１のＧＲＥキーを割り当て、第２の端末のための前記第２のＭＢＳサービスフローが前記第１のＭＢＳサービスフローと同一であれば、前記第２のＭＢＳサービスフローに対して前記第１のＧＲＥキーを割り当てるＧＲＥキー割当手段と、前記第１のＧＲＥキーを伝送する伝送手段と、を含むことを特徴とする。
【発明の効果】
【００２２】
実施例に係る本発明は、現在のＩＥＥＥ ８０２．１６ｄ／ｅ及びＷＩＭＡＸ規格を満たすマルチキャストブロードキャストサービス（ＭＢＳ）を支援するための方法及び装置を提供することができる。
【００２３】
また、本発明は、マルチキャストブロードキャストサービス（ＭＢＳ）支援時に、ＧＲＥトンネルを共有して端末にＭＢＳコンテンツを伝送することによって、ＧＲＥトンネルの数を減らすことができる。
【００２４】
また、本発明は、マルチキャストブロードキャストサービス（ＭＢＳ）支援時に、ＭＢＳコンテンツサービスフローのＱｏＳ要求事項を満たすことができる。
【００２５】
また、本発明は、ＭＢＳコンテンツサービスフロー伝送時にネットワークのリソースを效率的に利用することができる。
【図面の簡単な説明】
【００２６】
【図１】ＩＥＥＥ ８０２．１６ｄ／ｅ及びＷＩＭＡＸ規格に基づくＷｉＭＡＸシステムの構造を示す図である。
【図２】本発明の実施例によるＧＲＥトンネル生成方法を示す図である。
【図３】本発明の第１の実施例によるＭＢＳ支援方法を示す図である。
【図４】本発明の第２の実施例によるＭＢＳ支援方法を示す図である。
【図５】本発明の第３の実施例によるＭＢＳ支援方法を示す図である。
【図６】本発明の実施例によるＭＢＳ支援方法を示すフローチャートである。
【発明を実施するための形態】
【００２７】
本発明では、ＭＢＳの提供のために、ＡＳＮ−ＧＷとＢＳ間のＲ６インターフェースまたはＡＳＮ−ＧＷ間のＲ４インターフェースにおいてＧＲＥ（Generic Routing Encapsulation）トンネル（tunnel）を共有するようにＧＲＥトンネルを生成する。この場合、ＧＲＥトンネルの生成のためのＧＲＥキー（GRE key）割当において、基地局による区分単位（per BS granularity）及びサービスフローによる区分単位（per service flow granularity）を共に考慮する。
【００２８】
以下、添付の図面を参照しつつ、本発明の実施例について詳細に説明する。
【００２９】
図１は、ＩＥＥＥ ８０２．１６ｄ／ｅ及びＷＩＭＡＸ規格に基づくＷｉＭＡＸシステムの構造を示す図である。図１を参照すると、ＷｉＭＡＸシステムは、端末（Mobile Station）１１０、基地局（Base Station）１２０、アクセスサービスネットワーク（Access Services Network；以下、‘ＡＳＮ'という。）、及び連結サービスネットワーク（Connectivity Services Network；以下、‘ＣＳＮ'という。）を含む。
【００３０】
このＣＳＮは、ＭＣＢＣＳコントローラ／サーバー１４０、ＡＡＡ（Authentication Authorization and Accounting）１５０及びマルチキャストルータ（MR: Multicast Router）１６０を含む。そして、ＭＣＢＣＳコントローラ／サーバー１４０は、ＭＢＳコンテンツを提供するＭＣＢＣＳコンテンツサーバー（Content Server）を含む。ここで、ＣＳＮは、訪問連結サービスネットワーク（Visiting-CSN）と、ホーム連結サービスネットワーク（Home-CSN）とに区別することができる。また、ＷｉＭＡＸシステムは、示さぬサービスプロバイダ（Application Service Provider）と、ＩＰネットワーク（IP Network）と、を含む。
【００３１】
ここではＭＣＢＣＳコンテンツサーバー（Content Server）がＭＣＢＣＳコントローラ／サーバー１４０に含まれるとしたが、これは一実施例に過ぎず、ＭＣＢＣＳコンテンツサーバーは別の構成としても良い。
【００３２】
ＡＳＮは、ネットワークのサービスプロバイダに無線接続（radio access）インフラ（infrastructure）を提供し、ＭＣＢＣＳコントローラ／サーバー１４０から提供されるマルチキャストコンテンツの伝送のためのＡＳＮ−ＧＷを含む。ここで、ＭＢＳコンテンツは、基地局１２０とＡＳＮ−ＧＷ １３０との間に生成されるＧＲＥトンネルを通じてＡＳＮから基地局に伝送される。このために、ＡＳＮ−ＧＷのＭＣＢＣＳプロキシ（MCBCS Proxy）は、ＭＢＳコンテンツ伝送のためのＭＣＩＤ（Multicast CID）を割り当てる。また、ＡＳＮ−ＧＷのＭＣＢＣＳプロキシは、本発明の他の実施例においてＭＢＳコンテンツ伝送のためのマルチキャストサービスフロー識別子（ＭＳＦＩＤ）を割り当てる。そして、ＭＢＳ ＤＰＦ（Data Path Function）は、基地局（ＢＳ）のＤＰＦと連動してＧＲＥトンネル生成のための制御情報の処理を行う。
【００３３】
ＡＡＡ １５０は、ネットワークに接続した端末のサービス権限（Authorization）、認証（Authentication）及び課金（Accounting）を処理する。そして、マルチキャストルータ１６０は、ＭＣＢＣＳコントローラ／サーバー１４０のＭＣＢＣＳコンテンツサーバー（Content Server）から提供されるマルチキャストコンテンツを、ＡＳＮ−ＧＷ １３０に伝送する。
【００３４】
上記の構成を含むＷｉＭＡＸシステムにおいて、端末１１０と基地局１２０との間はＲ１インターフェースで連結され、基地局１２０とＡＳＮ−ＧＷ １３０との間はＲ６インターフェースで連結され、ＡＳＮ−ＧＷ １３０とＣＳＮとの間はＲ３インターフェースで連結される。
【００３５】
図１のＷｉＭＡＸシステムにおいて、特定マルチキャストサービスに加入した端末は、自身が加入したマルチキャストサービス（ＭＢＳ）の提供を要請することができる。端末からマルチキャストサービスの提供が要請されると、ＭＣＢＣＳコントローラ／サーバー１４０は、ＡＡＡ １５０を通じて当該端末のサービス権限、認証及び課金情報を確認する。
【００３６】
その後、マルチキャストサービスの加入が確認されると、ＭＣＢＣＳコントローラ／サーバー１４０は、マルチキャストルータ１６０を通じて、ＭＣＢＣＳコンテンツサーバー（Content Server）に含まれているＭＢＳコンテンツをＡＳＮ−ＧＷ １３０に伝送する。
【００３７】
ＡＳＮ−ＧＷ １３０から端末にＭＢＳコンテンツを伝送するためには、ＡＳＮ−ＧＷ １３０と基地局１２０との間にＧＲＥトンネルが生成されなければならない。また、基地局１２０と端末１１０との間に、該当のＭＢＳコンテンツのサービスフローによる動的サービス追加が行わなければならない。
【００３８】
本発明は、図１に示すようなＷｉＭＡＸシステム構造においてＭＢＳを支援するためのＧＲＥトンネルを生成する方法を提案する。本発明では、共有されるＧＲＥトンネルを生成する方法を提案し、共有されるＧＲＥトンネルを用いて、一つのＭＢＳコンテンツや同一のＱｏＳ要求事項を含む少なくとも一つのＭＢＳコンテンツを伝送する方法を提案する。
【００３９】
図２は、本発明によるＧＲＥトンネル生成方法を示す図である。ＡＳＮ−ＧＷ １３０と基地局１２０との間にＧＲＥトンネルを生成するためには、まず、基地局でＧＲＥキー割当を行わなければならない。本発明においてＧＲＥキーの割当をＡＳＮ−ＧＷで行うこともできる。以下では、基地局でＧＲＥキー割当を行うとして説明する。
【００４０】
本発明において、ＧＲＥキーの割当は、基地局による区分単位（per BS granularity）及びサービスフローによる区分単位（per service flow granularity）を共に考慮して行う。したがって、図２に示す基地局のうちの一基地局ＢＳ１では、同じ第１のサービスフローを持つ同じＭＢＳコンテンツにＧＲＥキー１を割り当て、割り当てられたＧＲＥキーを用いてＧＲＥトンネルを生成することができる。そして、第２のサービスフローを持つ同じＭＢＳコンテンツにＧＲＥキー２を割り当て、割り当てられたＧＲＥキーを用いてＧＲＥトンネルを生成することができる。
【００４１】
ここで、ＧＲＥキーの割当は各基地局別に行われ、ＭＢＳのためのサービスフロー別にＧＲＥキーを割り当てる。これにより、同じサービスフローを持つＭＢＳコンテンツの伝送において、生成されたＧＲＥトンネルを共有することが可能である。
【００４２】
本発明ではＧＲＥトンネルを生成するためのＧＲＥキー割当方法として次の方法を提案する。以下、図１のＷｉＭＡＸシステム構造に基づき、図３乃至図６を参照して本発明の実施例によるＭＢＳ支援方法について説明する。
【００４３】
図３は、本発明の第１の実施例によるＭＢＳ支援方法においてＧＲＥトンネルの生成方法を示す図である。
【００４４】
図３を参照すると、本発明の第１の実施例では、ＡＳＮ−ＧＷから提供されたＭＣＩＤ（Multicast CID）を用いて基地局でＧＲＥキーを割り当て、割り当てられたＧＲＥキーを用いてＧＲＥトンネルを生成する。本発明の第１の実施例においてＧＲＥキー割当はＡＳＮ−ＧＷ １３０で行うこともできる。
【００４５】
図３で、ＭＢＳコンテンツのＭＢＳデータパケットに含まれたＳｒｃ ＩＰ（Source IP）、Ｄｅｓｔ ＩＰ（Destination IP）、Ｓｒｃ ｐｏｒｔ（Source Port）、Ｄｅｓｔ ｐｏｒｔ（Destination port）は、伝送しようとするＭＢＳコンテンツのサービスフローを表す。
【００４６】
もし、端末１、端末２、端末３、端末４が同一ＭＢＳグループに加入しているとすれば、各端末は、同一のサービスフローを持つようになる。各端末のサービスフローが同一である場合、各端末に伝送されるＭＢＳコンテンツ、具体的に、ＭＢＳデータパケットには同一のＭＣＩＤを付与する。
【００４７】
本発明の第１の実施例では、同一のサービスフローに同一のＭＣＩＤを付与し、同一に付与されたＭＣＩＤを用いてＧＲＥキーを割当する。
【００４８】
ここで、ＭＣＩＤ（Multicast Content Identifier）は、ＭＢＳコンテンツの識別子であり、各端末が最初ネットワークエントリーを行ったアンカーＳＦＡ（Anchor SFA）から受信されたサービスフロー識別子（ＳＦＩＤ）を用いてＡＳＮ−ＧＷ １３０のＭＣＢＣＳプロキシで割り当てられる。ここで、ＭＣＩＤは、ＭＢＳゾーン（zone）内で唯一の（unique）値を有する。したがって、同一のＭＢＳゾーン内では、ＭＣＩＤを用いて端末に伝送されるＭＢＳコンテンツ及び該ＭＢＳコンテンツを受信しようとする端末グループを区別することができる。
本発明の第１の実施例では、上記の通り、同一のＭＢＳゾーン内で唯一の値を有するＭＣＩＤを用いて基地局１２０またはＡＳＮ−ＧＷ １３０でＧＲＥキーを割り当て、割り当てられたＧＲＥキーを通じて基地局１２０とＡＳＮ−ＧＷ １３０との間にＧＲＥトンネルを生成する。
【００４９】
上記の方法でＧＲＥトンネルを生成すると、同一のＭＢＳゾーン内で基地局別に同一のＭＢＳコンテンツに対して一つのＧＲＥトンネルを生成することができる。そして、生成されたＧＲＥトンネルを通じて同一のＭＢＳコンテンツを複数の端末に提供することができる。同一のＭＢＳコンテンツは同一のサービスフローを有するので、マルチキャストブロードキャスト伝送によるＱｏＳも満たすことができる。
【００５０】
一方、図３に示すサービスフロー以外の別のサービスフローでＭＢＳコンテンツを伝送しようとする場合には、基地局１２０またはＡＳＮ−ＧＷ １３０でサービスフローの個数分だけＧＲＥキーを割り当て、割り当てられたＧＲＥキーを用いてサービスフローの個数だけのＧＲＥトンネルを生成することができる。これにより、異なるサービスフローを有する複数のＭＢＳコンテンツのマルチキャスト伝送によるＱｏＳを満たすことができる。
【００５１】
一方、ＡＳＮ−ＧＷ １３０が必ずしも一つのＭＢＳゾーンに含まれるのではない。場合によっては、ＡＳＮ−ＧＷ １３０が複数のＭＢＳゾーンに含まれることもある。
【００５２】
具体的に説明すると、ネットワーク内では別のＭＢＳゾーンにサービスがなされると、同一のＭＢＳコンテンツが別のＭＢＳコンテンツとして扱われることがある。同一のＭＢＳコンテンツに異なるＭＣＩＤが付与されることもあり、異なるＭＢＳコンテンツに同一のＭＣＩＤが付与されることもある。例えば、ＡＳＮ−ＧＷがＭＢＳゾーン１及びＭＢＳゾーン２に含まれる場合、ＡＳＮ−ＧＷは、各ＭＢＳゾーンにサービスされる二つのＭＢＳコンテンツに同一のＭＣＩＤ値を割り当てることができる。このとき、これら二つのＭＢＳコンテンツは同一の場合も、異なる場合もある。したがって、各ＭＢＳコンテンツを識別するためには、ＭＣＩＤもＭＢＳゾーンＩＤも必要とされる。また、各ＭＢＳコンテンツに対して異なるＧＲＥトンネルを生成しようとする場合に、ＭＣＩＤもＭＢＳゾーンＩＤ値も必要とされる。
【００５３】
ここで、異なるＭＢＳコンテンツに同一のＭＣＩＤが付与されると、異なるサービスフローを持つ各ＭＢＳコンテンツに対するＱｏＳを満たすことができなくなる。また、複数のＭＢＳゾーンに提供されるＭＢＳコンテンツが同一であっても、各ＭＢＳゾーンの特性及び状況によって異なるＱｏＳ要求事項（parameter）または異なるマルチキャスト方式が適用されることがあり、この場合、各ＭＢＳコンテンツに対するＱｏＳを満たすことができない。
【００５４】
本発明の第１の実施例では、ＡＳＮ−ＧＷが複数のＭＢＳゾーンに含まれる場合にも、ＭＢＳコンテンツのサービスフローによるＱｏＳを満たすために下記の事項を提案する。
【００５５】
本発明の第１の実施例では、ＡＳＮ−ＧＷが複数のＭＢＳゾーンに含まれる場合には、ＧＲＥキーを割り当てる識別子としてＭＣＩＤの他にＭＢＳゾーンＩＤも考慮する。これにより、ＭＣＩＤとＭＢＳゾーンＩＤで識別されるＭＢＳコンテンツのサービスフロー別にＧＲＥキーを割り当て、割り当てられたＧＲＥキーを用いてＢＳとＡＳＮ−ＧＷとの間にＧＲＥトンネルを生成する。すなわち、ＡＳＮ−ＧＷが複数のＭＢＳゾーンに含まれる場合において、ＭＣＩＤ及びＭＢＳゾーンＩＤを通じて同一のＭＢＳコンテンツに対してＧＲＥトンネルを共有させることができる。ここで、ＭＢＳゾーンＩＤは、ＭＢＳゾーンを区分するための識別子値である。
【００５６】
このようにして、共有されたＧＲＥトンネルを通じて同一のＱｏＳ要求事項を持つＭＢＳコンテンツを伝送することができ、各ＭＢＳコンテンツのサービスフローによるＱｏＳを満たすことができる。
【００５７】
上記の通り、ＧＲＥトンネルは、ＭＣＩＤに基づいて生成され、プログラムが同一のＱｏＳ要求事項を含むと、該当のプログラムはＭＣＩＤにマッピングされ、複数のチャネルを含むことができる。ここで、各チャネルは、上位階層のチャネル識別子またはコンテンツ識別子を通じて区別することができる。ここで、識別子は、論理的識別子とすることができる。そして、プログラムの各チャネルは、一つのマルチキャストＩＰアドレスまたは異なるマルチキャストＩＰアドレスにマッピングされることができる。したがって、プログラムのチャネルが同一のＱｏＳ要求事項を含むと、複数のチャネルに対して一つのＧＲＥトンネルを生成することができ、同一のＱｏＳ要求事項を含むプログラムに関するチャネルは、一つのＧＲＥトンネルを通じて伝送されることができる。
【００５８】
図４は、本発明の第２の実施例によるＭＢＳ支援方法においてＧＲＥトンネルの生成方法を示す図である。
【００５９】
図４を参照すると、端末にＭＢＳコンテンツを提供するためのサービスフローは、ユニキャストと同様の方式でＳＦＩＤを割り当てて生成される。ユニキャストパケットの場合には、各端末ごとに異なるあて先ＩＰアドレス（Destination IP address）を持つから、あて先ＩＰアドレスによって端末別にＧＲＥトンネルを生成することができる。
【００６０】
しかし、図４に示す第１の端末乃至第４の端末（ＭＳ１、ＭＳ２、ＭＳ３、ＭＳ４）が同一基地局の特定マルチキャストグループ（multicast group）に加入した場合、ＭＢＳコンテンツの伝送では、特定マルチキャストサービスを要請した全ての端末（ＭＳ１、ＭＳ２、ＭＳ３、ＭＳ４）に同一のＭＢＳコンテンツが提供される。この場合、あて先ＩＰアドレスは、端末のＩＰアドレスではなく、マルチキャストグループアドレス（multicast group address）となる。
【００６１】
本発明の第２の実施例では、ＭＢＳコンテンツサービスフローの伝送特性を考慮してＧＲＥトンネルを生成する。本発明の第２の実施例では、ＳＦＩＤを用いずに、基地局別にＭＢＳコンテンツサービスフローに対してＧＲＥトンネルを生成することができる。
【００６２】
具体的に説明すると、同一のＭＢＳコンテンツサービスフローは、端末によらず、Source IP、Destination IP、Source Port、Destination Portが同一である。したがって、ＧＲＥキーを割り当てる際に、ＳＦＩＤを反映せずに、Source IP、Destination IP、Source Port、Destination Portを用いてＧＲＥキーを割り当てる。ここで、ＧＲＥキーは基地局で割り当てる。しかし、ＡＳＮ−ＧＷで割り当てることもできる。そして、割り当てられたＧＲＥキーを用いて基地局とＡＳＮ−ＧＷとの間にＧＲＥトンネルが生成される。その後、ＧＲＥトンネルを通じて同一のサービスフローを持つ同一ＭＢＳコンテンツを伝送することができる。
【００６３】
したがって、本発明の第２の実施例によるＭＢＳ支援方法は、ＧＲＥトンネルを共有しながらＭＢＳコンテンツのサービスフローによるＱｏＳを満たすことができる。
【００６４】
図５は、本発明の第３の実施例によるＭＢＳ支援方法においてＧＲＥトンネルの生成方法を示す図である。
【００６５】
図５を参照すると、第１の端末乃至第４の端末（ＭＳ１、ＭＳ２、ＭＳ３、ＭＳ４）が同一基地局の特定マルチキャストグループ（multicast group）に加入した場合、各端末に該当のＭＢＳコンテンツをサービスするためのサービスフローは、ユニキャストと同様の方式でＳＦＩＤ＝Ｗ、ＳＦＩＤ＝Ｘ、ＳＦＩＤ＝Ｙ、ＳＦＩＤ＝Ｚを割り当てて生成される。
【００６６】
基本的に、ＭＢＳコンテンツのサービスフローとデータ経路（data path）生成時に、各端末が最初ネットワークエントリーを行ったアンカーＳＦＡでＳＦＩＤを割り当てることとなる。ここで、アンカーＳＦＡは、各端末がネットワークエントリー（network entry）を行ったＡＳＮ−ＧＷに位置するものであり、端末がハンドオーバーを行って別のＡＳＮ地域に位置する場合にも、ＳＦＩＤの割当は、端末が最初ネットワークエントリーを行ったＡＳＮ−ＧＷのアンカーＳＦＡで行われる。
【００６７】
各端末が現在、同一のＡＳＮ地域に位置しても、最初ネットワークエントリーを行ったアンカーＡＳＮ−ＧＷ（Anchor ASN-GW）は異なることがある。この場合、第１の端末乃至第４の端末（ＭＳ１、ＭＳ２、ＭＳ３、ＭＳ４）に同じＭＢＳコンテンツサービスフローが提供されても、各端末のアンカーＳＦＡで異なるＳＦＩＤを割り当てることができる。したがって、各端末のアンカーＳＦＡで異なるＳＦＩＤを割り当てても、各端末に伝送しようとするＭＢＳコンテンツが同一のサービスフローである場合には、一つのマルチキャストＳＦＩＤ（Multicast SFID）でマッピングする。すなわち、同一のＭＢＳゾーン内で同一のサービスフロー別に一つのマルチキャストＳＦＩＤ（Multicast SFID）を割り当てる。ここで、マルチキャストＳＦＩＤ（Multicast SFID）の割当は、第１の端末乃至第４の端末（ＭＳ１、ＭＳ２、ＭＳ３、ＭＳ４）が位置しているＭＢＳゾーンのＡＳＮ−ＧＷで行う。
【００６８】
その後、ＡＳＮ−ＧＷで割り当てたマルチキャストＳＦＩＤ（Multicast SFID）を用いてＧＲＥキーを割り当てる。ここで、ＧＲＥキーの割当は、基地局またはＡＳＮ−ＧＷで行う。
【００６９】
続いて、割り当てられたＧＲＥキーを用いて基地局とＡＳＮ−ＧＷとの間に、同一のサービスフロー別に一つのＧＲＥトンネルを生成し、生成されたＧＲＥトンネルを用いて、同一のサービスフローを持つＭＢＳコンテンツを伝送する。
【００７０】
図６は、本発明の各実施例によるＭＢＳ支援方法を示すフローチャートである。図６に示す本発明の各実施例によるＭＢＳ支援方法においてＧＲＥキー割当方法による手順以外の事項は、本発明の全ての実施例に同様に適用される。
【００７１】
図６では、ＧＲＥキー割当が基地局で行われるとして説明する。しかし、ＧＲＥキーの割当は、ＡＳＮ−ＧＷで行われることもでき、それに対応する手順の変更は、当業者なら容易に具現することができる。
【００７２】
図６を参照すると、特定マルチキャストブロードキャストサービス（ＭＢＳ）に加入した複数の端末にＭＢＳコンテンツを提供するためには、各端末と基地局との間に動的サービス追加（DSA: Dynamic Service Addition）がされなければならない他、基地局とＡＳＮ（ＡＳＮ−ＧＷ）との間にＧＲＥトンネルが生成されなければならない。
【００７３】
まず、複数の端末のうち第１の端末が最初ネットワークエントリーを行ったアンカーＳＦＡは、ＡＡＡからＭＢＳコンテンツに関する情報を受信し、受信したＭＢＳコンテンツに関する情報を用いて、各端末に伝送しようとするＭＢＳコンテンツのサービスフローに対するＳＦＩＤを割り当てる（Ｓ１００）。
【００７４】
続いて、アンカーＳＦＡは、ＭＢＳコンテンツの伝送のためのデータ経路生成要請のためにＲＲ−Ｒｅｑメッセージをサービング（Serving）ＡＳＮ−ＧＷに伝送する（Ｓ１０５）。ここで、このＲＲ−Ｒｅｑメッセージには、各端末に属するサービスフローの識別子（ＳＦＩＤ）を含むサービスフロー情報（ＳＦ−ｉｎｆｏ）が含まれる。
【００７５】
その後、アンカーＳＦＡからＲＲ−Ｒｅｑメッセージを受信したＡＳＮ−ＧＷは、データ経路及びサービスフローを生成するためにデータ経路生成要請（Ｐａｔｈ−Ｒｅｇ−Ｒｅｑ）メッセージを基地局に伝送する（Ｓ１１５）。この時、Ｐａｔｈ−Ｒｅｇ−Ｒｅｑメッセージは、アンカーＳＦＡから受信したＳＦＩＤを含む。
【００７６】
ここで、本発明の第１の実施例では、アンカーＳＦＡからＡＳＮ−ＧＷにＲＲ−Ｒｅｑメッセージが受信されると、ＡＳＮ−ＧＷで受信したＳＦＩＤを用いてＭＣＩＤ、ＭＢＳゾーンＩＤ及びデータタイプ（Data Type）に関する情報を生成し、Ｐａｔｈ−Ｒｅｇ−ＲｅｑメッセージにＭＣＩＤ、ＭＢＳゾーンＩＤ及びデータタイプ（Data Type）に関する情報をさらに含める。
【００７７】
ここで、ＳＦＩＤは、具体的に、図１のＡＳＮ−ＧＷ内のＭＣＢＣＳプロキシで割り当てられる。また、ＭＣＩＤ、ＭＢＳゾーンＩＤ、及びデータタイプ（Data Type）情報は、ＴＬＶとして生成されることができる。ＭＣＩＤ ＴＬＶにはＭＣＩＤ（Multicast CID）の情報が含まれ、ＭＢＳゾーンＩＤ ＴＬＶには、連合サービスフローのための接続または仮想接続に用いられるＭＢＳゾーンに関する情報が含まれ、データタイプ（Data Type）ＴＬＶには、端末に伝送されるデータのサービスフロータイプが定義される。すなわち、端末に伝送されるデータがユニキャスト（unicast）サービスであるか、あるいは、ＭＢＳ（Multicast and Broadcast service）であるかに関する情報が含まれる。
【００７８】
一方、同一ＭＢＳコンテンツサービスフローは、端末によらず、Source IP、Destination IP、Source Port、Destination Portが同一である。本発明の第２の実施例では、ＧＲＥキーを割り当てる際に、ＳＦＩＤを反映せずに、Source IP、Destination IP、Source Port、Destination Portを用いてＧＲＥキーを割り当てる。
【００７９】
このために、本発明の第２の実施例では、Ｓ１０５でＡＳＮ−ＧＷに伝送されるＲＲ−Ｒｅｑメッセージに、ＳＦＩＤに加えてＭＢＳコンテンツの伝送に関する事項が定義されたSource IP address、Destination IP address、Source Port、Destination portの値を含める。
【００８０】
その後、データ経路生成（Data path creation）、すなわち、ＧＲＥトンネルの生成を要請するためのＰａｔｈ−Ｒｅｇ−Ｒｅｑメッセージを基地局に伝送する（Ｓ１１５）。この時、基地局に伝送されるＰａｔｈ−Ｒｅｇ−Ｒｅｑメッセージに、Source IP address、Destination IP address、Source Port、Destination portの値が含まれる。一方、ＧＲＥキーがＡＳＮ−ＧＷで割り当てられる場合、ＡＳＮ−ＧＷは、上記Source IP address、Destination IP address、Source Port、Destination portの値を用いてＧＲＥキーを割り当てることができる。
【００８１】
本発明の第３の実施例では、Ｓ１０５で、アンカーＳＦＡから受信されたＳＦＩＤの値が異なっても、各端末に伝送しようとするＭＢＳコンテンツが同一のサービスフローである場合には、一つのマルチキャストＳＦＩＤ（Multicast SFID）でマッピングする。同一ＭＢＳゾーン内で同一のサービスフロー別に一つのマルチキャストＳＦＩＤ（Multicast SFID）を割り当てる（Ｓ１１０）。その後、本発明の第３の実施例では、Ｓ１１５において基地局へ伝送されるＰａｔｈ−Ｒｅｇ−ＲｅｑメッセージにマルチキャストＳＦＩＤ（Multicast SFID）を含める。
【００８２】
Ｓ１１５の後、ＡＳＮ−ＧＷからＰａｔｈ−Ｒｅｇ−Ｒｅｑメッセージを受信した基地局は、ＧＲＥトンネル生成区分単位（per MS granularity）に基づいてＧＲＥキーを割り当てる（Ｓ１２０）。
【００８３】
この時、本発明の第１の実施例では、Ｐａｔｈ−Ｒｅｇ−Ｒｅｑメッセージに含まれたＭＣＩＤ、ＭＢＳゾーンＩＤ及びデータタイプ（Data Type）に関する情報を用いて、基地局別に同一のＭＢＳコンテンツのサービスフローに対して一つのＧＲＥキーを割り当てる。すなわち、ＭＣＩＤが同一であるサービスフローに対して一つのＧＲＥキーを割り当てる。
【００８４】
本発明の第２の実施例では、Ｐａｔｈ−Ｒｅｇ−Ｒｅｑメッセージに含まれたSource IP address、Destination IP address、Source Port、Destination portの値を用いて、同一のサービスフローに対して一つのＧＲＥキーを割り当てる。
【００８５】
本発明の第３の実施例では、Ｐａｔｈ−Ｒｅｇ−Ｒｅｑメッセージに含まれたマルチキャストＳＦＩＤ（Multicast SFID）を用いて、同一のサービスフローに対して一つのＧＲＥキーを割り当てる。
【００８６】
続いて、基地局は端末にＤＳＡ−Ｒｅｑメッセージを伝送して、ＭＢＳコンテンツ伝送のための動的サービス追加を要請する（Ｓ１２５）。この時、ＤＳＡ−ＲｅｑメッセージにはＭＣＩＤ（Multicast SFID）が含まれる。
【００８７】
その後、端末は、受信したＤＳＡ−Ｒｅｑメッセージに対する応答として、ＤＳＡ−Ｒｓｐメッセージを基地局に伝送して、動的サービスが追加されたことを知らせる（Ｓ１３０）。
【００８８】
続いて、基地局は、当該Ｐａｔｈ−Ｒｅｇ−Ｒｅｑメッセージに対する応答として、Ｐａｔｈ−Ｒｅｇ−ＲｓｐメッセージをＡＳＮ−ＧＷに伝送し、これで、ＧＲＥトンネルが生成される（Ｓ１３５）。すなわち、基地局は、Ｓ１２０で割り当てられたＧＲＥキー値をＰａｔｈ−Ｒｅｇ−Ｒｓｐに含めてＡＳＮ−ＧＷに伝送する。これにより、ＡＳＮ−ＧＷは、生成されたＧＲＥトンネルを通じてＭＢＳコンテンツを基地局に伝送することが可能になる。
【００８９】
ここで、ＧＲＥトンネルは、基地局別に同一のサービスフローを持つＭＢＳコンテンツに対して一つが生成される。また、複数のＭＢＳコンテンツが同一のＱｏＳを要求する場合には、複数のＭＢＳコンテンツに対して基地局別に一つのＧＲＥトンネルを生成することができる。すなわち、ＧＲＥトンネルは、基地局別にＭＢＳコンテンツのサービスフローに対して一つが生成されることもでき、基地局別に同一のＱｏＳを要求する複数のＭＢＳコンテンツに対して一つが生成されることもできる。
【００９０】
以降、ＡＳＮ−ＧＷは、Ｓ１０５でアンカーＳＦＡから受信したＲＲ−Ｒｅｑメッセージに対する応答としてＲＲ−ＲｓｐメッセージをアンカーＡＳＮ（Anchor ASN）に伝送する（Ｓ１４０）。
【００９１】
上記の手順により第１の端末と基地局との間に動的サービス追加がなされ、基地局とＡＳＮ−ＧＷとの間にＧＲＥトンネルが生成される。これにより、特定マルチキャストサービスに加入した第１の端末に、該特定マルチキャストサービスによるＭＢＳコンテンツを伝送することが可能になる。
【００９２】
ＡＳＮ−ＧＷは、ＭＢＳコンテンツのマルチキャストデータパケット（Multicast data packet）を受信すると、あらかじめ設定された分類規則（classification rule）に従って、受信したマルチキャストデータパケットを分類する。すなわち、ＡＳＮ−ＧＷは、分類規則を用いて、上述した第１乃至第３の実施例において、マルチキャストデータパケットに付与されたＭＣＩＤまたはマルチキャストＳＦＩＤまたはSource IP、Destination IP、Source Port、Destination Portを検出する。
【００９３】
その後、ＡＳＮ−ＧＷは、検出されたＭＣＩＤまたはマルチキャストＳＦＩＤまたはSource IP、Destination IP、Source Port、Destination Portを用いてＧＲＥキーを探し、該ＧＲＥキーに該当するＧＲＥトンネルを決定する。以降、決定されたＧＲＥトンネルを用いて、受信したマルチキャストデータパケット（Multicast data packet）、すなわち、ＭＢＳコンテンツを基地局に伝送する（Ｓ１４５）。
【００９４】
続いて、複数の端末のうち第２の端末に対して、ＡＳＮ−ＧＷにＭＢＳコンテンツサービスフローの伝送のためのデータ経路生成要請がさらに行われることがある。この場合、第２の端末が最初ネットワークエントリーを行ったアンカーＳＦＡは、ＡＡＡからＭＢＳコンテンツに関する情報を受信し、受信したＭＢＳコンテンツに関する情報を用いて、各端末に伝送しようとするＭＢＳコンテンツのサービスフローに対するＳＦＩＤを割り当てる。そして、第２の端末のアンカーＳＦＡは、ＭＢＳコンテンツのサービスフローに対するＳＦＩＤをＲＲ−Ｒｅｑメッセージに含めてサービング（Serving）ＡＳＮ−ＧＷに伝送する（Ｓ１５０）。
【００９５】
アンカーＡＳＮからＲＲ−Ｒｅｑメッセージを受信したサービング（Serving）ＡＳＮ−ＧＷは、データ経路生成（Data path creation）、すなわち、ＧＲＥトンネルの生成を要請するためのＰａｔｈ−Ｒｅｇ−Ｒｅｑメッセージを基地局に伝送する（Ｓ１５５）。
【００９６】
この時、Ｐａｔｈ−Ｒｅｇ−Ｒｅｑメッセージには、第１乃至第３の実施例によって、上記Ｓ１００〜Ｓ１１５で上述したＭＢＳコンテンツの情報が含まれる。
【００９７】
その後、上記の第１乃至第３の実施例において、マルチキャストデータパケットに付与されたＭＣＩＤまたはマルチキャストＳＦＩＤまたはSource IP、Destination IP、Source Port、Destination Portを検出して、追加伝送の要請されたＭＢＳコンテンツサービスフローを確認する。
【００９８】
続いて、追加伝送の要請されたＭＢＳコンテンツサービスフローが、第１の端末に対して生成されたＧＲＥトンネルを通じて伝送されているＭＢＳコンテンツと同一のサービスフローを有すると、新しいＧＲＥキーを割り当てずに、以前に使用したＧＲＥキーを割り当てる。すなわち、第２の端末に提供されるＭＢＳコンテンツのサービスフローのためのＧＲＥトンネルをさらに生成しない。このような場合、第２の端末に対して要請されたＭＢＳコンテンツサービスフローの伝送は、以前に割り当てられたＧＲＥキーを通じて生成されているＧＲＥトンネルを用いる（Ｓ１６０）。
【００９９】
すなわち、同一サービスフローを有するＭＢＳコンテンツに対するデータ経路登録（data path registration）が要請されると、新しいＧＲＥトンネルを生成せずに、以前に生成されたＧＲＥトンネルを用いてＭＢＳコンテンツサービスフローの伝送を行う。
【０１００】
一方、追加伝送の要請されたＭＢＳコンテンツサービスフローが、以前に生成されたＧＲＥトンネルを通じて伝送されているＭＢＳコンテンツと異なるサービスフローを有すると、上記Ｓ１００〜Ｓ１４５の手順を通じてさらにＧＲＥトンネルを生成する。以降、さらに生成されたＧＲＥトンネルを通じてＭＢＳコンテンツサービスフローを伝送する。
【０１０１】
上記の本発明の実施例は、様々なコンピュータ手段によって実行されるようなプログラム命令形態で具現されて、コンピュータ読み取り可能な記録媒体に記録されることができる。この時、コンピュータ読み取り可能な記録媒体は、プログラム命令、データファイル、データ構造などを単独でまたは組み合わせて含むことができる。一方、記録媒体に記録されるプログラム命令は、本発明のために特別に設計されて構成されたものであってもよく、コンピュータソフトウェア当業者に公知のものであっても良い。
【０１０２】
コンピュータ読み取り可能な記録媒体には、ハードディスク、フロッピーディスク及び磁気テープのような磁気媒体（Magnetic Media）、ＣＤ−ＲＯＭ、ＤＶＤのような光記録媒体（Optical Media）、フロップティカルディスク（Floptical Disk）のような磁気−光媒体（Magneto-Optical Media）、及びＲＯＭ、ＲＡＭ、フラッシュメモリーなどのようなプログラム命令を記憶して実行するように特別に構成されたハードウェア装置が含まれる。一方、このような記録媒体は、プログラム命令、データ構造などを指定する信号を伝送する搬送波を含む光または金属線、導波管などの伝送媒体であってもよい。
【０１０３】
また、プログラム命令には、コンパイラにより生成されるような機械語コードの他に、インタープリターなどを用いてコンピュータによって実行されるような高級言語コードも含む。上記のハードウェア装置は、本発明の動作を行うために一つ以上のソフトウェアモジュールとして作動するように構成しても良く、その逆も同様である。
【０１０４】
一方、本発明の属する技術分野における当業者には、上記した本発明がその技術的思想や必須特徴を変更しない範囲内で、様々な具体的な形態に実施できるということが理解できる。
【０１０５】
例えば、上記の実施例においては、本発明のパイロット割当方法が無線通信システムのアップリンクに適用されるとしたが、変形された実施例においてはダウンリンクにも適用可能である。
【０１０６】
したがって、以上の実施例は、いずれの面においても例示的なもので、限定的なものとして理解してはならない。本発明の範囲は、上記の詳細な説明に限定されず、添付の特許請求の範囲によって定められ、よって、特許請求の範囲及びその等価概念から導かれる変更または変形はいずれも本発明の範囲に含まれる。
【図１】
2011510590.tif 000003
【図２】
2011510590.tif 000004
【図３】
2011510590.tif 000005
【図４】
2011510590.tif 000006
【図５】
2011510590.tif 000007
【図６】
2011510590.tif 000008
【国際調査報告】
2011510590.tif 000009
2011510590.tif 000010
2011510590.tif 000011
2011510590.tif 000012